(57)【要約】【課題】イベント情報を通知するシステムにおいて、ユーザにとって紛らわしい不要なイベント情報の通知を防止することが可能なシステムを提供する。【解決手段】イベント情報通知装置は、所定の場所で発生した所定のイベントの内容を示すイベント情報を受信する受信部と、ユーザにイベント情報を通知する通知部と、所定の人物を登録した登録情報にしたがいイベント情報の通知を制御する制御部と、を備える。制御部は、受信部がイベント情報を受信した場合、イベントが発生した場所に、登録情報に登録された人物が居たか否かを判定し（Ｓ１）、判定結果に基づいて、イベントの発生をユーザに通知する必要があるか否かを判定し（Ｓ２）、通知が必要であると判定したときに、通知部を介してイベントの発生をユーザに通知する（Ｓ３）。【選択図】図５
2015153018.tif 000002
【特許請求の範囲】
【請求項１】
所定の場所で発生した所定のイベントの内容を示すイベント情報を受信する受信部と、
ユーザに前記イベント情報を通知する通知部と、
所定の人物を登録した登録情報にしたがい前記イベント情報の通知を制御する制御部と、を備え、
前記制御部は、
前記受信部がイベント情報を受信した場合、前記イベントが発生した場所に、前記登録情報に登録された人物が居たか否かを判定し、
前記判定結果に基づいて、前記イベントの発生を前記ユーザに通知する必要があるか否かを判定し、
前記通知が必要であると判定したときに、前記通知部を介して前記イベントの発生を前記ユーザに通知する、
イベント情報通知装置。
【請求項２】
前記登録情報は複数の人物を登録し、
前記制御部は、
前記受信部が前記イベント情報を受信した場合、前記登録情報に登録された複数の人物の各々が、前記イベントが発生した場所に居たか否かを判定し、
前記判定結果に基づいて、前記イベントの発生を前記ユーザに通知する必要があるか否かを判定する、
請求項１に記載のイベント情報通知装置。
【請求項３】
前記受信部は、複数の場所から前記イベント情報を受信可能であり、
前記登録情報は、各場所と対応づけて前記人物を登録しており、
前記制御部は、
前記受信部が前記イベント情報を受信した場合、前記イベントが発生した場所に、前記イベントが発生した場所と対応づけて前記登録情報に登録された人物の各々が居たか否かを判定する、
請求項２に記載のイベント情報通知装置。
【請求項４】
前記登録情報は、日付及び／または時刻と対応づけて前記人物を登録しており、
前記制御部は、
前記受信部が前記イベント情報を受信した場合、前記イベントが発生した場所に、前記イベントが発生した日付及び／または時刻と対応づけて前記登録情報に登録された人物の各々が居たか否かを判定する、
請求項１ないし３のいずれかに記載のイベント情報通知装置。
【請求項５】
前記受信部は、前記イベント情報の中の前記制御部による前記判定処理に必要な部分のみを受信し、前記制御部にて前記必要な部分のみの情報により前記イベントの発生の通知が必要であると判定された場合に、前記イベント情報全体を受信する、
請求項１ないし４のいずれかに記載のイベント情報通知装置。
【請求項６】
ネットワーク上に配置され、前記ネットワークを介してユーザ端末とアクセス可能なサーバであって、
所定の場所で発生した所定のイベントの内容を示すイベント情報を受信する受信部と、
前記受信したイベント情報を送信する送信部と、
所定の人物を登録した登録情報にしたがい前記イベント情報の送信を制御する制御部と、を備え、
前記制御部は、
前記受信部がイベント情報を受信した場合、前記イベントが発生した場所に、前記登録情報に登録された人物が居たか否かを判定し、
前記判定結果に基づいて、前記イベントの発生を示す情報を前記ユーザ端末に送信する必要があるか否かを判定し、
前記送信が必要であると判定したときに、前記送信部を介して前記イベントの発生を示す情報を前記ユーザ端末に送信する、
イベント情報配信サーバ。
【請求項７】
所定のイベントの発生を検出し、検出したイベントの内容を示すイベント情報を生成する検出部と、
前記イベント情報を送信する送信部と、
所定の人物を登録した登録情報にしたがい前記イベント情報の送信を制御する制御部と、を備え、
前記制御部は、
前記受信部がイベント情報を受信した場合、前記イベントが発生した場所に、前記登録情報に登録された人物が居たか否かを判定し、
前記判定結果に基づいて、前記イベントの発生を示す情報を送信する必要があるか否かを判定し、
前記通知が必要であると判定したときに、前記イベントの発生を示す情報を、前記送信部を介して所定の端末に送信する、
イベント情報送信装置。
【請求項８】
所定の場所で発生したイベントを検出し、前記検出したイベントの内容を示すイベント情報を送信するイベント情報送信装置と、
前記イベント情報送信装置から前記イベント情報を受信してユーザに通知するイベント情報通知装置と、を含み、
前記イベント情報通知装置は、
前記イベント情報送信装置から前記イベント情報を受信する受信部と、
ユーザに前記イベント情報を通知する通知部と、
所定の人物を登録した登録情報にしたがい前記イベント情報の通知を制御する制御部と、を備え、
前記制御部は、
前記受信部がイベント情報を受信した場合、前記イベントが発生した場所に、前記登録情報に登録された人物が居たか否かを判定し、
前記判定結果に基づいて、前記イベントの発生を前記ユーザに通知する必要があるか否かを判定し、
前記通知が必要であると判定したときに、前記通知部を介して前記イベントの発生を前記ユーザに通知する、
イベント情報通知システム。
【請求項９】
所定の場所で発生したイベントを検出し、前記検出したイベントの内容を示すイベント情報を送信するイベント情報送信装置と、
ネットワークを介して、前記イベント情報送信装置から前記イベント情報を受信してユーザ端末に送信するイベント情報配信サーバと、を含み、
前記イベント情報配信サーバは、
所定の場所で発生した所定のイベントの内容を示すイベント情報を受信する受信部と、
前記イベント情報を送信する送信部と、
所定の人物を登録した登録情報にしたがい、前記イベント情報の送信を制御する制御部と、を備え、
前記制御部は、
前記受信部がイベント情報を受信した場合、前記イベントが発生した場所に、前記登録情報に登録された人物が居たか否かを判定し、
前記判定結果に基づいて、前記イベントの発生を示す情報を前記ユーザ端末に送信する必要があるか否かを判定し、
前記送信が必要であると判定したときに、前記送信部を介して前記イベントの発生を示す情報を前記ユーザ端末に送信する、
イベント情報通知システム。
【請求項１０】
所定の場所で発生した所定のイベントの内容を通知するイベント情報通知システムにおけるイベント情報の通知方法であって、
前記イベント情報を受信手段を介して受信するステップと、
前記イベント情報を受信した場合、制御手段により、所定の人物を登録した登録情報に登録された人物が、イベントが発生した場所に居たか否かを判定するステップと、
前記制御手段により、前記判定結果に基づいて、前記イベントの発生をユーザに通知する必要があるか否かを判定するステップと、
前記制御手段により、前記通知が必要であると判定したときに、通知手段を介して前記イベントの発生を前記ユーザに通知するステップと、
を含む、
イベント情報通知方法。
【発明の詳細な説明】
【技術分野】
【０００１】
本発明は、イベントの発生を通知するイベント情報通知システムに関する。
【背景技術】
【０００２】
住宅等に侵入する者を検知する防犯機器がある（例えば、特許文献１〜３等参照）。住宅等に設置される防犯機器は、住宅等に侵入した者を検知し、その侵入（イベント）を通知するアラーム通知機能を有している。例えば、防犯機器は、センサカメラで撮影された画像中の動きを検知（動作検知(Video Motion Detection)機能）することにより、侵入者を検出することができる。防犯機器は、その住宅の住人以外の侵入者を検出した場合にアラームを通知することが期待されている。しかし、実際には、防犯機器は、住人と侵入者の区別はできないため、本来アラームが通知される必要のない住人を検出した場合でも、アラームを通知してしまう場合がある。
【０００３】
例えば、センサカメラを玄関先に設置した場合、居住者が外出または帰宅した際に、どうしても動作検知が起こり、居住者にとっては、紛らわしく、不要なアラーム通知が行われてしまうという問題がある。
【先行技術文献】
【特許文献】
【０００４】
【特許文献１】特開２０１３−０２５７５２
【特許文献２】特開２０１３−０２０４３３
【特許文献３】特開２０１１−１６５０５４
【発明の概要】
【発明が解決しようとする課題】
【０００５】
本発明は、住宅等への人の侵入などのイベントの発生を通知するシステムにおいて、ユーザにとって紛らわしい不要なイベントの通知を防止することが可能なイベント情報通知システムを提供する。
【課題を解決するための手段】
【０００６】
（１）本発明に係るイベント情報通知装置は、所定の場所で発生した所定のイベントの内容を示すイベント情報を受信する受信部と、ユーザにイベント情報を通知する通知部と、所定の人物を登録した登録情報にしたがいイベント情報の通知を制御する制御部と、を備える。制御部は、受信部がイベント情報を受信した場合、イベントが発生した場所に、登録情報に登録された人物が居たか否かを判定し、判定結果に基づいて、イベントの発生をユーザに通知する必要があるか否かを判定し、通知が必要であると判定したときに、通知部を介してイベントの発生をユーザに通知する。
【０００７】
（２）上記イベント情報通知装置において、登録情報は複数の人物を登録してもよい。その場合、制御部は、受信部がイベント情報を受信した場合、登録情報に登録された複数の人物の各々が、イベントが発生した場所に居たか否かを判定し、その判定結果に基づいて、イベントの発生を前記ユーザに通知する必要があるか否かを判定してもよい。
【０００８】
（３）上記（２）のイベント情報通知装置において、受信部は、複数の場所からイベント情報を受信可能でもよい。登録情報は、各場所と対応づけて人物を登録してもよい。制御部は、受信部がイベント情報を受信した場合、イベントが発生した場所に、イベントが発生した場所と対応づけて登録情報に登録された人物の各々が居たか否かを判定してもよい。
【０００９】
（４）上記（１）〜（３）のいずれかのイベント情報通知装置において、登録情報は、日付及び／または時刻と対応づけて人物を登録してもよい。制御部は、受信部がイベント情報を受信した場合、イベントが発生した場所に、イベントが発生した日付及び／または時刻と対応づけて登録情報に登録された人物の各々が居たか否かを判定してもよい。
【００１０】
（５）上記（１）〜（４）のいずれかのイベント情報通知装置において、受信部は、イベント情報の中の制御部による判定処理に必要な部分のみを受信し、制御部にて必要な部分のみの情報によりイベントの発生の通知が必要であると判定された場合に、イベント情報全体を受信するようにしてもよい。
【００１１】
（６）本発明に係るイベント情報配信サーバは、ネットワーク上に配置され、ネットワークを介してユーザ端末とアクセス可能なサーバである。イベント情報配信サーバは、所定の場所で発生した所定のイベントの内容を示すイベント情報を受信する受信部と、受信したイベント情報を送信する送信部と、所定の人物を登録した登録情報にしたがいイベント情報の送信を制御する制御部と、を備える。制御部は、受信部がイベント情報を受信した場合、イベントが発生した場所に、登録情報に登録された人物が居たか否かを判定し、判定結果に基づいて、イベントの発生を示す情報をユーザ端末に送信する必要があるか否かを判定し、送信が必要であると判定したときに、送信部を介してイベントの発生を示す情報をユーザ端末に送信する。
【００１２】
（７）本発明に係るイベント情報送信装置は、所定のイベントの発生を検出し、検出したイベントの内容を示すイベント情報を生成する検出部と、イベント情報を送信する送信部と、所定の人物を登録した登録情報にしたがいイベント情報の送信を制御する制御部と、を備える。制御部は、受信部がイベント情報を受信した場合、イベントが発生した場所に、登録情報に登録された人物が居たか否かを判定し、判定結果に基づいて、イベントの発生を示す情報を送信する必要があるか否かを判定し、送信が必要であると判定したときに、イベントの発生を示す情報を、送信部を介して所定の端末に送信する。
【００１３】
（８）本発明に係る第１のイベント情報通知システムは、所定の場所で発生したイベントを検出し、検出したイベントの内容を示すイベント情報を送信するイベント情報送信装置と、イベント情報送信装置からイベント情報を受信してユーザに通知するイベント情報通知装置と、を含む。イベント情報通知装置は、イベント情報送信装置からイベント情報を受信する受信部と、ユーザにイベント情報を通知する通知部と、所定の人物を登録した登録情報にしたがいイベント情報の通知を制御する制御部と、を備える。制御部は、受信部がイベント情報を受信した場合、イベントが発生した場所に、登録情報に登録された人物が居たか否かを判定し、判定結果に基づいて、イベントの発生をユーザに通知する必要があるか否かを判定し、通知が必要であると判定したときに、通知部を介してイベントの発生をユーザに通知する。
【００１４】
（９）本発明に係る第２のイベント情報通知システムは、所定の場所で発生したイベントを検出し、検出したイベントの内容を示すイベント情報を送信するイベント情報送信装置と、ネットワークを介して、前記イベント情報送信装置から前記イベント情報を受信してユーザ端末に送信するイベント情報配信サーバと、を含む。イベント情報配信サーバは、所定の場所で発生した所定のイベントの内容を示すイベント情報を受信する受信部と、イベント情報を送信する送信部と、所定の人物を登録した登録情報にしたがいイベント情報の送信を制御する制御部と、を備える。制御部は、受信部がイベント情報を受信した場合、イベントが発生した場所に、登録情報に登録された人物が居たか否かを判定し、判定結果に基づいて、イベントの発生を示す情報をユーザ端末に送信する必要があるか否かを判定し、送信が必要であると判定したときに、送信部を介してイベントの発生を示す情報をユーザ端末に送信する。
【００１５】
（１０）本発明に係るイベント情報通知方法は、所定の場所で発生した所定のイベントの内容を通知するイベント情報通知システムにおけるイベント情報の通知方法である。イベント情報通知方法は、イベント情報を受信手段を介して受信するステップと、イベント情報を受信した場合、制御手段により、所定の人物を登録した登録情報に登録された人物が、イベントが発生した場所に居たか否かを判定するステップと、制御手段により、判定結果に基づいて、イベントの発生をユーザに通知する必要があるか否かを判定するステップと、制御手段により、通知が必要であると判定したときに、通知手段を介してイベントの発生をユーザに通知するステップと、を含む。
【発明の効果】
【００１６】
本発明によれば、住宅への不審者の侵入などのイベントの発生を通知するシステムにおいて、ユーザにとって紛らわしい不要なイベントの通知を防止することが可能なイベント情報通知システムを提供できる。
【図面の簡単な説明】
【００１７】
【図１】実施の形態１におけるイベント情報通知システムの構成を示す図
【図２】イベント情報送信装置のハードウェア構成を示した図
【図３】実施の形態１におけるユーザ登録情報の一例を示した図
【図４】イベント情報通知装置のハードウェア構成を示した図
【図５】実施の形態１におけるイベント情報通知システムの動作シーケンスを示す図
【図６】実施の形態２におけるイベント情報通知システムの構成を示す図
【図７】実施の形態２におけるイベント情報通知システムの動作シーケンスを示す図
【図８】実施の形態２におけるユーザ登録情報の一例を示した図
【図９】実施の形態２におけるユーザ登録情報の別の例を示した図
【図１０】実施の形態３におけるユーザ登録情報の一例を示した図
【図１１】実施の形態４におけるユーザ登録情報の一例を示した図
【図１２】実施の形態５におけるイベント情報通知システムの構成を示す図
【図１３】実施の形態５におけるイベント情報通知システムの動作シーケンスを示す図
【図１４】実施の形態６におけるイベント情報通知システムの構成を示す図
【図１５】イベント情報配信サーバのハードウェア構成を示す図
【図１６】実施の形態６におけるイベント情報通知システムの動作シーケンスを示す図
【図１７】実施の形態７におけるイベント情報通知システムの構成を示す図
【図１８】実施の形態７におけるイベント情報通知システムの動作シーケンスを示す図
【発明を実施するための形態】
【００１８】
以下、添付の図面を参照して本発明の実施の形態を説明する。
【００１９】
実施の形態１
１．システム構成
図１は、本発明に係るイベント情報通知システムの一実施形態の構成を説明した図である。同図に示すようにイベント情報通知システム１００は、イベントの発生を検知し、検知した結果を送信するイベント情報送信装置１０と、イベント情報送信装置１０からの検知結果に基づきイベントの発生をユーザに通知するイベント情報通知装置５０とを含む。イベント情報送信装置１０は例えばセンサカメラで構成できる。また、イベント情報通知装置５０は例えばスマートフォンまたは携帯電話で構成できる。なお、図１では、イベント情報送信装置１０及びイベント情報通知装置５０の機能的な構成を示している。
【００２０】
１−１  イベント情報送信装置
図１に示すように、イベント情報送信装置１０は、機能的な構成として、イベントの発生を検出するイベント検出部１１と、発生したイベントに関する情報を外部に送信するイベント情報送信部１３とを含む。例えば、イベント情報送信装置１０がセンサカメラの場合には、イベント検出部１１は、撮像した画像の動きを検出することでイベントの発生を検知する。また、例えば、イベント情報送信装置１０が人感センサの場合には、イベント検出部１１は、赤外線を利用して人の動きを検出することでイベントの発生を検知する。イベント情報送信部１３は、イベント検出部１１により検出されたイベントの内容を示す情報（以下「イベント情報」という）を、ネットワーク２００を介してイベント情報通知装置５０に送信する。
【００２１】
図２は、イベント情報送信装置１０が例えばセンサカメラである場合のハードウェア構成の一例を示した図である。この場合、イベント情報送信装置１０は、ハードウェア校正として、撮像部１０１と、制御部１０５と、通信部１０７とを備える。
【００２２】
撮像部１０１は、例えば、ＣＣＤ、ＣＭＯＳセンサのような画像センサを含む。制御部１０５は、撮像部１０１により撮像された画像を解析して画像中の動きを検出（動作検知（Video Motion Detection））することによりイベントの発生を検知する。
【００２３】
制御部１０５は、プログラムを実行することで所定の機能を実現するＣＰＵやＭＰＵで構成されてもよく、または、所定の機能を実現するように設計された専用の電子回路で構成されてもよい。
【００２４】
通信部１０７は、例えば、Ｅｔｈｅｒｎｅｔ（登録商標）、Ｗｉ-Ｆｉ(Wireless Fidelity)、ＺｉｇＢｅｅ、Ｚ−Ｗａｖｅのような所定の通信インタフェースに準拠した通信機能を実現するモジュールで構成される。通信部１０７は、３ＧやＬＴＥのようなモバイル通信規格に準拠した通信を行っても良い。通信部１０７は、所定の通信規格に準拠した通信を行って直接にまたはルータなどのネットワークゲートウェイを介してネットワーク２００に接続し、そのネットワーク２００を介してイベント情報をイベント情報通知装置５０に送信する。
【００２５】
イベント情報送信装置１０におけるイベント検出部１１の機能は、撮像部１０１及び制御部１０５により実現される。また、イベント情報送信部１３の機能は、制御部１０５及び通信部１０７により実現される。
【００２６】
１−２  イベント情報通知装置
イベント情報通知装置５０は、イベント検知にともないイベント情報送信装置１０からイベント情報を受けたときにイベントの発生をユーザに通知する機能を有する。図１に示すように、イベント情報通知装置５０は、機能的な構成として、イベント情報送信装置１０からイベント情報を受信するイベント情報受信部５１を備える。また、イベント情報通知装置５０は、場所判定のための情報を取得する場所判定情報取得部５３と、イベントの発生場所を判定する場所判定部５４とを備える。さらに、イベント情報通知装置５０は、ユーザへのイベント発生の通知の要否を決定する通知要否判定部５５と、ユーザに対してイベント発生を通知するイベント情報通知部５６とを備える。
【００２７】
イベント情報受信部５１はネットワーク２００を介してイベント情報送信装置１０からイベント情報を受信する。具体的には、イベント情報受信部５１は、イベント情報送信装置１０からネットワーク２００を介してイベント情報を直接受信してもよいし、ネットワーク２００上のサーバによるメールサービスや情報配信サービスを介して、イベント情報を間接的に受信してもよい。
【００２８】
場所判定情報取得部５３はユーザ登録情報を保持しており、ユーザ登録情報に予め登録された人物が位置する場所に関する情報を取得する。図３にユーザ登録情報の一例を示す。本実施形態では、図３に示すように、ユーザ登録情報には一ユーザのみが登録されるものとする。場所判定情報取得部５３は、例えば、予めユーザ登録情報に登録された人物が所有する電子機器のＧＰＳ（Global Positioning System）機能や、電子機器の周囲の無線ＬＡＮのアクセスポイントとの通信状況に基づき、予め登録された人物が位置する場所の情報を取得する。予め登録された人物は、当該イベント情報通知装置５０の所有者であってもよいし、当該イベント情報通知装置５０の所有者以外の人物であってもよい。または、場所判定情報取得部５３は、位置情報サービスなどのクラウドサービスを利用して、予め登録された人物が位置する場所の情報を取得してもよい。
【００２９】
場所判定部５４は、場所判定情報取得部５３が取得した登録された人物が位置する場所に関する情報をもとに、イベントが発生した場所及び時刻に、登録された人物が存在したか否かを判定する。通知要否判定部５５は、場所判定部５４の判定結果に基づき、イベントの発生（例えば、イベント情報）をユーザに通知するか否かを判定する。
【００３０】
イベント情報通知部５６は、通知要否判定部５５により通知が必要と判定された場合に、イベントの発生をユーザに通知する。例えば、イベント情報通知部５６は、表示部に、イベント情報に含まれる画像（動画又は静止画）及び／またはテキスト情報を表示させることでイベントの発生をユーザに通知してもよい。または、イベント情報通知部５６はスピーカからの音声出力によりイベントの発生をユーザに通知してもよい。
【００３１】
図４は、イベント情報通知装置５０のハードウェア構成を示した図である。イベント情報通知装置５０は、ハードウェア構成として、表示部５０１と、音声出力部５０２と、操作部５０３と、制御部５０５と、データ記憶部５０６と、通信部５０７とを備える。
【００３２】
表示部５０１は画像やテキスト等の情報を表示する装置であり、例えば、液晶ディスプレイや有機ＥＬディスプレイを含む。操作部５０３はユーザが指示を行うための手段であり、タッチパネルやボタン等で構成される。音声出力部５０２は音声を出力する装置であり、スピーカを含む。
【００３３】
制御部５０５は、イベント情報通知装置５０全体の動作を制御する回路である。制御部５０５は、例えば、プログラムを実行することで所定の機能を実現するＣＰＵやＭＰＵで構成されてもよく、または、所定の機能を実現するように設計された専用の電子回路で構成されてもよい。
【００３４】
データ記憶部５０６は、データを記憶する記録媒体であり、例えば、フラッシュメモリのような半導体記憶装置、ハードディスク及び／またはメモリカードで構成される。
【００３５】
通信部５０７は、例えば、Ｗｉ-Ｆｉ、Ｅｔｈｅｒｎｅｔ、ＵＳＢ(Universal Serial Bass)、ＨＤＭＩ（登録商標）（High Definition Multimedia Interface）のような所定の通信インタフェースに準拠した通信機能を実現する通信モジュールで構成される。通信部５０７は、３ＧやＬＴＥのようなモバイル通信規格に準拠した通信を行っても良い。通信部５０７は、所定の通信規格に準拠した通信を行って直接にまたはルータなどのネットワークゲートウェイを介してネットワーク２００に接続し、そのネットワークを介してイベント情報送信装置１０からイベント情報を受信する。
【００３６】
イベント情報通知装置５０における場所判定情報取得部５３、場所判定部５４および通知要否判定部５５の機能は制御部５０５により実現される。イベント情報受信部５１の機能は制御部５０５及び通信部５０７により実現される。イベント情報通知部５６の機能は制御部５０５及び表示部５０１及び／または音声出力部５０２により実現される。
【００３７】
２．動作
以上のような構成を有するイベント情報通知システム１００の動作を以下に説明する。
【００３８】
最初に、イベント情報通知装置５０の場所判定情報取得部５３が保持するユーザ登録情報について説明する。ユーザ登録情報は、イベントが発生した場所及び時刻に、その人物が存在したか否かが確認される人物が登録される。なお、実施の形態１では、ユーザ登録情報には、一人の人物のみが登録されるとする。具体的には、図３に示すように、ユーザ登録情報に、人物を示す識別情報と、その人物の氏名が登録される。人物を示す識別情報は、その人物を特定することができる情報であり、例えば、その人物が日常所有（携帯）するスマートフォンや携帯電話のような情報機器を識別するための情報が用いられる。
【００３９】
図５は、イベント情報通知装置５０が実行する処理を示すシーケンス図である。以下、図５に示すシーケンスに即してイベント情報通知システム１００の動作を以下に説明する。イベント情報通知システム１００の動作を、より具体的に説明する為、以下では、イベント情報送信装置１０がセンサカメラである場合について説明する。
【００４０】
イベント情報送信装置１０においてイベント検出部１１が画像における動作検知によりイベントを検出すると、イベント情報送信部１３が発生したイベントに関するイベント情報をイベント情報通知装置５０に送信する。イベント情報送信部１３により送信されるイベント情報は、イベント検出部１１により撮像された画像（動画または静止画）と、イベントの発生時刻及び発生場所に関する情報とを含む。
【００４１】
イベント情報通知装置５０は、イベント情報受信部５１により、イベント情報送信装置１０からイベント情報を受信すると、受信したイベント情報をイベント情報通知部５６へ送信する。さらに、イベント情報通知装置５０は、受信したイベント情報に含まれるイベントが発生した時刻と場所に関する情報を場所判定部５４へ送信する。
【００４２】
このとき、場所判定情報取得部５３は、ユーザ登録情報に登録された人物の位置を示す情報（場所判定情報）を予め（例えば定期的に）取得している。例えば、場所判定情報取得部５３は、前述のように、ＧＰＳ機能や、無線ＬＡＮのアクセスポイントとの通信状況をもとに場所判定情報を取得、あるいは、位置情報サービスなどのクラウドサービスを利用して場所判定情報を取得することができる。
【００４３】
場所判定部５４は、場所判定情報取得部５３に対して、登録されたユーザに関して、イベントが発生した時刻における場所の情報（場所判定情報）を要求し、場所判定情報取得部５３から場所判定情報（位置情報）を受信する。
【００４４】
場所判定部５４は、場所判定情報取得部５３から受信した場所判定情報に基づいて、イベントが発生した時刻にイベントが発生した場所に、登録された人物が居たか否かを判定し（Ｓ１）、その判定結果（場所判定結果）を通知要否判定部５５へ送信する。
【００４５】
通知要否判定部５５は、場所判定部５４から受信した場所判定結果に基づいて、イベントの発生（イベント情報）をユーザに通知する必要があるか否かを判定する（Ｓ２）。通知要否判定部５５は、判定結果（通知要否判定結果）をイベント情報通知部５６へ送信する。具体的には、通知要否判定部５５は、イベントが発生した時刻においてイベントが発生した場所に、登録された人物（ユーザＡ、具体的にはユーザ本人である場合が多い）が存在しなかった場合に、ユーザにイベントを通知する必要があると判定する。一方、イベントが発生した時刻においてイベントが発生した場所に、登録された人物が存在した場合は、通知要否判定部５５は、ユーザにイベントを通知する必要がないと判定する。このように判定することにより、ユーザＡ（不法侵入者ではない人物）自身の存在によりイベントの発生が検知される場合など、ユーザに通知する必要のないイベントの発生が検知されてしまった場合に、そのイベントの発生が誤ってユーザに通知されるのを防止することができる。
【００４６】
イベント情報通知部５６は、通知要否判定部５５から受信した判定結果が、通知が必要であることを示す場合、イベント情報受信部５１で受信したイベント情報をユーザに通知する（Ｓ３）。具体的には、イベント情報通知部５６は、表示部に、イベント情報に含まれる画像（動画又は静止画）及び／またはテキスト情報を表示させることでイベントの発生をユーザに通知してもよい。または、イベント情報通知部５６はスピーカからの音声出力によりイベントの発生をユーザに通知してもよい。すなわち、イベント情報通知部５６は、イベントの発生を示す情報をユーザに提示する。
【００４７】
以上のように、本実施形態のイベント情報通知システムは、イベント発生が検知された場合であっても、事前に登録された人物がイベント発生時刻にイベント発生場所に居た場合は、イベント発生をユーザに通知しない。これにより、ユーザに通知する必要のないイベントの発生が誤ってユーザに通知されるのを防止することができる。
【００４８】
なお、上記の実施形態では、通知要否判定部５５は、イベントが発生した時刻においてイベントが発生した場所に、ユーザ登録情報に登録された人物が存在しなかった場合に、ユーザＡにイベントを通知する必要があると判定した。このような判定に代えて、通知要否判定部５５は、イベントが発生した時刻においてイベントが発生した場所に、ユーザ登録情報に登録された人物が存在した場合に、ユーザにイベントを通知する必要があると判定してもよい。このような判定は、例えば、ユーザ登録情報に未成年の子供（ユーザａ）に関する情報を登録した場合に意義がある。
【００４９】
実施の形態２
イベント情報通知システムの別の実施形態について説明する。本実施形態では、ユーザ登録情報に複数の人物が登録される場合の例を説明する。
【００５０】
図６は、実施の形態２におけるイベント情報通知システムの構成を示した図である。図７は、実施の形態２におけるイベント情報通知システムの動作シーケンス図である。
【００５１】
本実施形態のイベント情報通知システム１００Ｂは、実施の形態１に示す構成（図１参照）に加えて、位置情報サービスを提供する場所情報配信サーバ３１０をさらに備える。場所情報配信サーバ３１０は、所定の人物の場所に関する情報を収集し、管理している。場所情報配信サーバ３１０は、イベント情報通知装置５０からの要求に応じて、人物の場所の情報を配信する。場所情報配信サーバ３１０による位置情報サービスは、具体的には、例えば携帯電話オペレータによって、携帯電話システムにおいて管理されている所定の人物が所有する携帯電話端末の場所情報を利用して提供される。
【００５２】
場所情報配信サーバ３１０は情報処理装置（コンピュータ）で構成される。場所情報配信サーバ３１０のハードウェア構成は、後述するイベント情報配信サーバ３２０と同様である（図１５参照）。
【００５３】
本実施形態のイベント情報通知システム１００Ｂは、図８に示すように、場所判定情報取得部５３に保持されるユーザ登録情報は、複数の人物の情報を登録している。場所情報配信サーバ３１０は、ユーザ登録情報に登録された人物の場所に関する情報を収集し、データ記憶部３０６に格納している。場所判定情報取得部５３は、ユーザ登録情報に登録された複数の人物が居る場所を示す情報を場所情報配信サーバ３１０から取得する。
【００５４】
すなわち、図７に示すように、場所判定情報取得部５３は、イベントが発生した時刻におけるユーザ登録情報に登録された各人物の場所の情報を場所情報配信サーバ３１０に要求する。このため、場所判定情報取得部５３は、イベント発生の時刻情報とユーザ登録情報に登録された各人物の識別情報を場所情報配信サーバ３１０に送信する。場所情報配信サーバ３１０は、管理している所定の人物の場所に関する情報の内から、受信した識別情報で指定された人物のイベント発生時における場所に関する情報を、場所判定情報取得部５３に送信する。
【００５５】
場所判定情報取得部５３は、場所情報配信サーバ３１０から受信した、イベント発生時における各人物の場所情報（場所判定情報）を場所判定部５４に送信する。
【００５６】
場所判定部５４は、受信した場所判定情報を参照して、ユーザ登録情報に登録された複数の人物のそれぞれが、イベントが発生した時にイベントが発生した場所に居たか否かを判定し、その判定結果（場所判定結果）を通知要否判定部５５に送信する。
【００５７】
通知要否判定部５５は、登録された複数の人物のいずれかもが、イベントが発生した時にイベントが発生した場所に居ない場合、イベント発生を通知する必要があると判定する。一方、登録された複数の人物のうちの少なくとも一人が、イベントが発生した時にイベントが発生した場所に居た場合、通知要否判定部５５はイベント発生を通知する必要がないと判定する。
【００５８】
例えば、家族のメンバー（複数人）をユーザ登録情報に登録することで、イベント発生時に家族のメンバー（複数人）のうちのいずれかが住宅に居たか否かを判定できる。これにより、不要なイベント情報の通知を防止することが出来る。また、家族の大人だけをユーザ登録情報に登録することで、イベント発生時に家族の大人のメンバーが住宅に居たか否か、すなわち、イベント発生時に子供だけが住宅に居た状況を判定できる。よって、本実施形態によれば、子供だけが住宅に居た時のイベント発生時に、イベント発生をユーザに通知することが出来る。
【００５９】
なお、上記の例では、ユーザ登録情報に登録した複数の人物のいずれもがイベント発生時にイベント発生場所に居なかったときに、イベント情報を通知すると判定した。この判定において、さらに別の条件を加えてもよい。すなわち、図９に示すように、図８に示したユーザ登録情報（図９（ａ）参照、以下「ユーザ登録情報１」という）に加えて、別のユーザ登録情報（図９（ｂ）参照、以下「ユーザ登録情報２」という）を設けてもよい。この場合、通知要否判定部５５は下記の条件が満たされるときに、イベントの発生を通知する必要があると判定し、満たされない場合、通知する必要がないと判定する。
ａ）ユーザ登録情報２に登録された人物がイベント発生時にイベント発生場所に居り、かつ、
ｂ）ユーザ登録情報１に登録された複数の人物のうちのいずれもイベント発生時にイベント発生場所に居なかった。
【００６０】
実施の形態３
本実施の形態では、複数の場所で発生したイベントの通知を可能とする構成を説明する。イベント情報通知システムの基本的な構成、動作は実施の形態１、２のものと同様である。
【００６１】
複数の場所で発生したイベントの通知を可能とするため、図１０に示すように、ユーザ登録情報において場所毎にユーザに関する情報を登録する。また、イベント情報送信装置１０は複数の場所に設置される。場所判定情報取得部５３、場所判定部５４および通知要否判定部５５は、図１０に示すユーザ登録情報を参照して、それぞれの処理や判定に用いる人物を、イベントが発生した場所毎に特定し、それぞれの処理や判定を行う。
【００６２】
すなわち、イベント情報受信部５１は、各場所に設置されたイベント情報送信装置１０のそれぞれからイベント情報を受信する。場所判定情報取得部５３は、図１０に示すユーザ登録情報に基づきイベント発生場所に対応する複数の人物を特定し、その特定した複数の人物それぞれのイベント発生時刻における場所に関する情報を取得する。場所判定部５４は、図１０に示すユーザ登録情報に基づき特定した複数の人物のそれぞれがイベント発生時刻にイベント発生場所に居たか否かを判定する。通知要否判定部５５は、特定した人物のいずれもイベント発生時刻にイベント発生場所に居なかったときは、イベント発生（イベント情報）の通知が必要であると判定する。
【００６３】
このような構成により、複数の場所に対してイベント発生の通知が可能となる。また、通知の要否を判定する際に用いる人物を場所毎に設定することが可能となり、イベント通知を受けたい場所が複数ある場合など、ユーザの実情に即した設定が可能となる。
【００６４】
実施の形態４
本実施の形態では、時間帯毎に、通知の要否を判定する際に用いる人物の設定を可能とする構成を説明する。イベント情報通知システムの基本的な構成、動作は実施の形態１、２のものと同様である。
【００６５】
時間帯毎に、通知の要否を判定する際に用いる人物の設定を可能とするために、図１１に示すように、ユーザ登録情報において時間帯毎にユーザに関する情報を登録する。
【００６６】
場所判定情報取得部５３、場所判定部５４および通知要否判定部５５は、図１１に示すユーザ登録情報を参照して、それぞれの処理や判定に用いる人物を時間帯毎に特定し、それぞれの処理や判定を行う。
【００６７】
図１１に示す例では、ユーザ登録情報において、時間帯に分けてユーザに関する情報を登録しているが、時間に加えて日付を付加してもよい。
【００６８】
実施の形態５
本実施形態では、イベント情報通知装置５０が受信するデータのデータ量を低減するための構成を説明する。
【００６９】
図１２に、本実施形態のイベント情報通知システムの構成を示す。本実施形態のイベント情報通知システム１００Ｃは、実施の形態１に示す構成（図１参照）に加えて、イベント情報配信サーバ３２０をさらに備える。イベント情報配信サーバ３２０はネットワーク２００に接続され、イベント情報送信装置１０からのイベント情報を仲介してイベント情報通知装置５０に送信する。イベント情報配信サーバ３２０のハードウェア構成については後述する。
【００７０】
前述の実施形態においては、イベント情報通知装置５０は、イベント情報として、イベント検出部１１により撮像された画像と、イベントの発生時刻及び発生場所に関する情報とを受信した。これに対して、本実施形態では、イベント情報通知装置５０のイベント情報受信部５１は、最初、イベント情報の一部の情報（部分情報）を受信する。イベント情報の一部の情報は、場所判定部５４と通知要否判定部５５での判定処理に必要な情報である。例えば、イベント情報の一部の情報は、画像を含まず、イベントの発生時刻と発生場所に関する情報を含む。その後、通知要否判定部５５においてイベント発生の通知が必要と判定された場合に、イベント情報受信部５１はイベント情報送信装置１０からイベント情報全体を受信する。
【００７１】
図１３は、本実施形態のイベント情報通知システムの動作シーケンスを示す図である。同図を用いて本実施形態のイベント情報通知システムの動作を具体的に説明する。
【００７２】
本実施形態では、イベント情報送信装置１０は、イベントの発生を検知したときに、イベント情報をイベント情報配信サーバ３２０に送信する。イベント情報通知装置５０のイベント情報受信部５１は、イベント情報配信サーバ３２０に対して、イベント情報の一部のみを送信することを指示する部分情報要求を定期的に送信している。
【００７３】
イベント情報配信サーバ３２０は、部分情報要求を受信したときに、未送信のイベント情報を有している場合、そのイベント情報の一部（部分情報）を、イベント情報通知装置５０に送信する。イベント情報受信部５１は、イベント情報送信装置１０から受信した部分情報に含まれるイベント発生時刻と発生場所に関する情報を場所判定部５４に送信する。その後、場所判定情報取得部５３、場所判定部５４及び通知要否判定部５５で所定の処理が実行される。
【００７４】
そして、通知要否判定部５５の判定結果がイベント情報受信部５１に送信される。通知要否判定部５５においてイベント発生の通知が必要と判定された場合、イベント情報受信部５１は、イベント情報送信装置１０に対してイベント情報全体を送信するよう要求する。イベント情報送信装置１０は、イベント情報全体をイベント情報受信部５１に送信する。イベント情報受信部５１は、受信したイベント情報をイベント情報通知部５６に送信する。イベント情報通知部５６は、受信したイベント情報にしたがいユーザへの通知を行う。
【００７５】
この構成により、イベント情報の中に、画像や動画などの容量の大きなデータが含まれる場合などに、不要なイベント情報の受信による無駄な通信費用の発生や、受信端末の無駄な記憶リソースの使用を防止することが出来る。
【００７６】
実施の形態６
上記の実施形態においては、イベント情報をユーザに通知するか否かを判定する機能は、イベント情報通知装置５０に設けていた。これに対して本実施形態では、イベント情報をユーザに通知するか否かを判定する機能をイベント情報配信サーバに設ける。
【００７７】
図１４に、本実施形態におけるイベント情報通知システムの構成を示す。本実施形態のイベント情報通知システム１００Ｄは、イベント情報送信装置１０と、場所情報配信サーバ３１０と、イベント情報配信サーバ３２０と、ユーザ端末４００とを含む。
【００７８】
イベント情報送信装置１０と場所情報配信サーバ３１０は実施の形態２で説明したものと同様の構成を有し、同様の動作を行う。ユーザ端末４００は例えばスマートフォンや携帯電話等の通信機能を有する携帯情報端末である。
【００７９】
イベント情報配信サーバ３２０は、イベント検知にともないイベント情報送信装置１０からイベント情報を受けたときにイベント情報をユーザ端末に送信する。ユーザ端末４００は、イベント情報配信サーバ３２０からイベント情報を受信すると、イベント情報に含まれる画像を表示したり、音声を出力したりして、ユーザにイベントの発生を通知する。
【００８０】
イベント情報配信サーバ３２０は、機能的な構成として、イベント情報送信装置１０からイベントに関する情報（イベント情報）を受信するイベント情報受信部３５１を備える。また、イベント情報配信サーバ３２０は、場所判定のための情報を取得する場所判定情報取得部３５３と、イベントの発生場所を判定する場所判定部３５４とを備える。さらに、イベント情報配信サーバ３２０は、ユーザ端末４００へのイベント情報の送信の要否を決定する通知要否判定部３５５と、ユーザ端末４００に対してイベント情報を送信するイベント情報配信部３５６とを備える。
【００８１】
図１５は、イベント情報配信サーバ３２０のハードウェア構成を示した図である。イベント情報配信サーバ３２０は、表示部３０１と、操作部３０３と、制御部３０５と、データ記憶部５０６と、通信部５０７とを備える。表示部３０１は画像やテキスト等の情報を表示する装置であり、例えば、液晶ディスプレイや有機ＥＬディスプレイを含む。操作部３０３はユーザが指示を行うための手段であり、キーボード、マウス、タッチパネル等で構成される。
【００８２】
制御部３０５は、イベント情報配信サーバ３２０全体の動作を制御する回路である。制御部３０５は、例えば、プログラムを実行することで所定の機能を実現するＣＰＵやＭＰＵで構成されてもよく、または、所定の機能を実現するように設計された専用の電子回路で構成されてもよい。
【００８３】
データ記憶部３０６は、データを記憶する記録媒体であり、例えば、フラッシュメモリのような半導体記憶装置、ハードディスク及び／またはメモリカードで構成される。
【００８４】
通信部３０７は、例えば、Ｅｔｈｅｒｎｅｔ、Ｗｉ-Ｆｉ、ＵＳＢ(Universal Serial Bass)のような所定の通信インタフェースに準拠した通信機能を実現する通信モジュールで構成される。通信部３０７は、３ＧやＬＴＥのようなモバイル通信規格に準拠した通信を行っても良い。通信部３０７は、所定の通信規格に準拠した通信を行って直接にまたはルータなどのネットワークゲートウェイを介してネットワーク２００に接続し、そのネットワーク２００に接続された他の機器（イベント情報通知装置５０、等）と通信が可能である。
【００８５】
イベント情報配信サーバ３２０における場所判定情報取得部３５３、場所判定部３５４および通知要否判定部３５５の機能は、制御部３０５により実現される。イベント情報受信部３５１及びイベント情報配信部３５６の機能は通信部３０７により実現される。
【００８６】
図１６に、本実施形態のイベント情報通知システム１００Ｄの動作シーケンスを示す。イベント情報配信サーバ３２０における、イベント情報受信部３５１、場所判定情報取得部３５３、場所判定部３５４及び通知要否判定部３５５の機能及び動作は、実施の形態２で説明した、イベント情報通知装置５０におけるイベント情報受信部５１、場所判定情報取得部５３、場所判定部５４及び通知要否判定部５５の機能及び動作と同一である。よって、これらの動作の説明は省略する。
【００８７】
イベント情報配信部３５６は、通知要否判定部３５５から受信した判定結果が、通知が必要（すなわち、イベント情報の送信が必要）であることを示す場合、イベント情報受信部３５１で受信したイベント情報を、イベントの発生を示す情報として、ユーザ端末４００に送信する。なお、本例では、イベントの発生を示す情報として、イベント情報全体をユーザ端末４００に送信した。しかし、イベントの発生を示す情報は、これに限定されず、イベント情報の一部であってもよいし、または、イベントが発生したことが認識できる情報であれば、他の情報であってもよい（実施の形態７においても同様）。
【００８８】
ユーザ端末４００は、イベント情報配信サーバ３２０からイベント情報を受信すると、表示部に、イベント情報に含まれる画像（動画又は静止画）及び／またはテキスト情報を表示させる。または、ユーザ端末４００は、スピーカからの音声出力によりイベントの発生をユーザに通知してもよい。
【００８９】
以上のように、本実施形態では、イベント情報配信サーバ３２０で、イベント情報をユーザ（ユーザ端末４００）に送信するか否かを判定する。これにより、ユーザにとって、紛らわしい不要なイベント情報の配信を防止することが出来る。特に、イベント情報の中に、画像や動画などの容量の大きなデータが含まれる場合などに、不要なイベント情報の受信による無駄な通信費用の発生や、受信端末の無駄な記憶リソースの使用を防止することが出来る。
【００９０】
実施の形態７
本実施形態では、イベント情報をユーザに通知するか否かを判定する機能をイベント情報送信装置に設ける。
【００９１】
図１７に、本実施形態におけるイベント情報通知システムの構成を示す。本実施形態のイベント情報通知システム１００Ｅは、イベント情報送信装置１０ｂと、場所情報配信サーバ３１０と、ユーザ端末４００とを含む。
【００９２】
場所情報配信サーバ３１０は実施の形態２で説明したものと同様の構成を有し、同様の動作を行う。ユーザ端末４００は例えばスマートフォンや携帯電話等の通信機能を有する携帯情報端末である。
【００９３】
イベント情報送信装置１０ｂは、イベント検知時にイベント情報をユーザに通知する必要があるか否かを判定し、通知の必要があると判定したときにイベント情報をユーザ端末４００に送信する。ユーザ端末４００は、イベント情報配信サーバ３２０からイベント情報を受信すると、イベント情報に含まれる画像を表示したり、音声を出力したりして、ユーザにイベントの発生を通知する。
【００９４】
イベント情報送信装置１０ｂは、機能的な構成として、実施の形態１等で示したイベント検出部１１及びイベント情報送信部１３に加えて、場所判定のための情報を取得する場所判定情報取得部１５３と、イベントの発生場所を判定する場所判定部１５４とを備える。さらに、イベント情報送信装置１０ｂは、ユーザ端末４００へのイベント発生の通知（イベント情報の送信）の要否を決定する通知要否判定部１５５を備える。
【００９５】
図１８に、本実施形態のイベント情報通知システム１００Ｅの動作シーケンスを示す。イベント情報送信装置１０ｂにおける、場所判定情報取得部１５３、場所判定部１５４及び通知要否判定部１５５の機能及び動作は、実施の形態２で説明した、イベント情報通知装置５０における、場所判定情報取得部５３、場所判定部５４および通知要否判定部５５の機能及び動作と同一である。よって、これらの動作の説明は省略する。
【００９６】
イベント情報送信部１３は、通知要否判定部１５５から受信した判定結果が、通知が必要（すなわち、イベント情報の送信が必要）であることを示す場合、イベント情報（イベントの発生を示す情報の一例）を、ネットワーク２００を介してユーザ端末４００に送信する。具体的には、イベント情報送信部１３は、ネットワーク２００を介してイベント情報をユーザ端末４００に対して直接送信してもよいし、ネットワーク２００上のサーバによるメールサービスや情報配信サービスを介して、イベント情報を間接的に送信してもよい。
【００９７】
ユーザ端末４００は、イベント情報送信部１３からイベント情報を受信すると、表示部に、イベント情報に含まれる画像（動画又は静止画）及び／またはテキスト情報を表示させる。または、ユーザ端末４００は、スピーカからの音声出力によりイベントの発生をユーザに通知してもよい。
【００９８】
以上のように、本実施形態では、イベント情報送信装置１０ｂで、イベント情報をユーザ（ユーザ端末４００）に送信するか否かを判定する。これにより、ユーザにとって、紛らわしい不要なイベント情報の配信を防止することが出来る。特に、イベント情報の中に、画像や動画などの容量の大きなデータが含まれる場合などに、不要なイベント情報の受信による無駄な通信費用の発生や、受信端末の無駄な記憶リソースの使用を防止することが出来る。
【００９９】
他の実施の形態
以上のように、本出願において開示する技術の例示として、実施の形態１〜７を説明した。しかしながら、本開示における技術は、これに限定されず、適宜、変更、置き換え、付加、省略などを行った実施の形態にも適用可能である。
【０１００】
上記の実施形態では、イベント情報送信装置１０がセンサカメラの場合、イベント情報送信装置１０は、画像の動作検知（Video Motion Detection）によりイベントを検出した。しかし、イベント検出の方法はこれに限定されない。例えば、窓やドアの開閉を検知するセンサや人の存在を検知する人感センサを用いて、イベントの発生を検知してもよい。すなわち、イベントとは、住宅等への人の侵入に限定されず、広く、監視している対象の状態の変化をいう。すなわち、イベントの検出とは、監視対象の状態の変化を検出することである。
【０１０１】
実施の形態６、７では、イベント発生時における登録された人物の場所情報を場所情報配信サーバ３１０から取得する例を説明した。しかし、イベント発生時における登録された人物の場所情報は、場所情報配信サーバ３１０以外の手段から取得するようにしてもよい。
【０１０２】
以上説明したイベント情報通知システムは、住宅向けの通知システムに限らず、オフィス等の建物における通知システムに対して適用しても良い。
【０１０３】
上記の実施形態では、場所判定部５４は、登録された人物が、イベントが発生したときに且つイベント発生場所に居たか否かを判定したが、場所判定部５４の判定動作はこれに限定されない。場所判定部５４は、登録された人物が、イベント発生時の前後の所定時間内にイベント発生場所に居たか否かを判定するようにしてもよい。
【０１０４】
上記の実施形態では、イベント情報受信部５１とイベント情報送信装置１０とは別体のものとして説明したが、イベント情報受信部とイベント情報送信装置とを一体として構成してもよい。すなわち、イベント情報送信装置１０に、イベント情報通知装置５０の機能を含めても良い。
【０１０５】
各実施の形態で開示した思想は適宜組み合わせることが可能である。
【０１０６】
（まとめ）
上記の実施の形態においては以下の思想が開示されている。
【０１０７】
（１）本開示のイベント情報通知装置（５０）は、所定の場所で発生した所定のイベントの内容を示すイベント情報を受信する受信部（５０７、５１）と、ユーザにイベント情報を通知する通知部（５０１、５０２、５６）と、所定の人物を登録した登録情報（ユーザ登録情報）にしたがいイベント情報の通知を制御する制御部（５０５、５４、…）とを備える。
【０１０８】
制御部（５０５、５４）は、受信部（５０７）がイベント情報を受信した場合、イベントが発生した場所に、登録情報に登録された人物が居たか否かを判定する。さらに、制御部（５０５、５５）は、判定結果に基づいて、イベントの発生をユーザに通知する必要があるか否かを判定する。さらに、制御部（５０５）は、通知が必要であると判定したときに、通知部（５０１、５０２）を介してイベントの発生をユーザに通知する。
【０１０９】
上記（１）の構成により、イベントが発生した場所に、登録された人物が居たか否かを判定し、イベント情報をユーザに通知するか否かを判定する。これにより、ユーザにとって、紛らわしい不要なイベント通知を防止することが出来る。例えば、ユーザ自身またはその他の特定の人が住宅に居た場合において、住宅に設置されたセンサカメラの動作検知機能のＯＮ／ＯＦＦ操作をすることなく、紛らわしい不要なイベント情報の通知を防止することが出来る。また、一方で、センサカメラの動作検知機能のＯＮ／ＯＦＦ操作をすることなく、ユーザ自身またはその他の特定の人が住宅にいない時に発生したイベントのみがユーザに通知される。
【０１１０】
（２）（１）の構成において、登録情報は複数の人物を登録してもよい（図８、９参照）。制御部（５０５）は、受信部（５０７）がイベント情報を受信した場合、登録情報に登録された複数の人物の各々が、イベントが発生した場所に居たか否かを判定する。さらに、制御部（５０５）は、判定結果に基づいて、イベントの発生をユーザに通知する必要があるか否かを判定する。
【０１１１】
上記（２）の構成によれば、例えば以下の効果を奏する。家族の内の誰かが住宅に居た場合のように、動作検知によるイベント通知がユーザにとっては不要な場合に、家族のメンバーが住宅に居たか否かを判定することで、紛らわしい不要なイベント情報の通知を防止することが出来る。一方で、子供だけが住宅に居た場合のように、動作検知のイベント情報の通知がユーザにとっては必要な場合には、家族の大人のメンバーが住宅に居たか否かを判定することで、子供だけが住宅に居た時に発生した動作検知のイベント情報についてはユーザに通知するようにすることが出来る。
【０１１２】
（３）（２）の構成において、受信部（５０７）は、複数の場所からイベント情報を受信してもよい。登録情報は各場所と対応づけて人物を登録してもよい（図１０参照）。制御部（５０５、５４）は、通信部がイベント情報を受信した場合、イベントが発生した場所に、イベントが発生した場所に対応づけて登録情報に登録された人物の各々が居たか否かを判定する。
【０１１３】
上記（３）の構成によれば、ユーザが複数の場所に関するイベント情報の通知を受けることができる。さらに、ユーザにとって、紛らわしい不要なイベント通知の条件を、場所ごとに設定することが出来る。
【０１１４】
（４）（１）〜（３）のいずれかの構成において、登録情報は、日付及び／または時刻と対応づけて人物を登録してもよい（図１１参照）。制御部（５０５、５４）は、受信部（５０７）がイベント情報を受信した場合、イベントが発生した場所に、イベントが発生した日付及び／または時刻と対応づけて登録情報に登録された人物の各々が居たか否かを判定する。
【０１１５】
上記（４）の構成によれば、例えば以下の効果を奏する。ユーザにとって、紛らわしい不要なイベント情報の通知を、日時によって異なる条件のもとで防止することが出来る。例えば、来客等により、日時や時間帯によって居住者が変化する住宅において、紛らわしい不要なイベント情報の通知を防止することが出来る。
【０１１６】
（５）（１）〜（４）のいずれかの構成において、受信部（５０７）は、イベント情報の中の制御部による判定処理に必要な部分のみを受信してもよい。受信部（５０７）は、制御部（５０５）にて必要な部分のみの情報によりイベントの発生の通知が必要であると判定された場合に、イベント情報全体を受信してもよい。
【０１１７】
上記（５）の構成によれば、ユーザにとって、紛らわしい不要なイベント情報の全ての部分情報の受信を防止することが出来る。特に、イベント情報の中に、画像や動画などの容量の大きなデータが含まれる場合などに、不要なイベント情報の受信に起因する、無駄な通信費用の発生や受信端末の無駄な記憶リソースの使用を防止することが出来る。
【０１１８】
（６）本開示のイベント情報配信サーバ（３２０）は、ネットワーク上に配置され、ネットワークを介してユーザ端末とアクセス可能なサーバである。イベント情報配信サーバ（３２０）は、所定の場所で発生した所定のイベントの内容を示すイベント情報を受信する受信部（３０７）と、受信したイベント情報を送信する送信部（３０７）と、所定の人物を登録した登録情報にしたがいイベント情報の送信を制御する制御部（３０５、…）とを備える。制御部（３０５、３５４）は、受信部（３０７）がイベント情報を受信した場合、イベントが発生した場所に、登録情報に登録された人物が居たか否かを判定する。さらに、制御部（３０５、３５５）は、判定結果に基づいて、イベントの発生をユーザに通知する必要があるか否かを判定する。さらに、制御部（３０５）は、通知が必要であると判定したときに、送信部（３０７）を介してイベントの発生を示す情報をユーザ端末（４００）に送信する。
【０１１９】
上記（６）の構成によれば、ユーザにとって、紛らわしい不要なイベント情報の配信を防止することが出来る。
【０１２０】
（７）本開示のイベント情報送信装置（１０ｂ）は以下の構成を有する。イベント情報送信装置（１０ｂ）は、所定のイベントの発生を検出し、検出したイベントの内容を示すイベント情報を生成する検出部（１０１、１０５、１１）と、イベント情報を送信する送信部（１３）とを備える。また、イベント情報送信装置１０ｂは、所定の人物を登録した登録情報にしたがいイベント情報の送信を制御する制御部（１０５、１５４、１５５）とを備える。制御部（１０５、１５４）は、イベント検出部１１がイベント情報を生成し、イベント検出部１１から発生したイベントの時刻情報と場所情報を受信した場合、イベントが発生した場所に、登録情報に登録された人物が居たか否かを判定する。制御部（１０５、１５５）は、判定結果に基づいて、イベントの発生を送信する必要があるか否かを判定する。制御部（１０５）は、送信が必要であると判定したときに、イベントの発生を示す情報を、送信部（１３）を介してユーザ端末（４００）に送信する。
【０１２１】
上記（７）の構成によれば、イベント情報の受信者にとって、紛らわしい不要なイベント情報を、ユーザに送信してしまうのを防止することが出来る。
【０１２２】
（８）本開示のイベント情報通知システム（１００、１００Ｂ、１００Ｃ）は以下の構成を有する。イベント情報通知システムは、所定の場所で発生したイベントを検出し、検出したイベントの内容を示すイベント情報を送信するイベント情報送信装置（１０）と、イベント情報送信装置からイベント情報を受信してユーザに通知するイベント情報通知装置（５０）と、を含む。イベント情報通知装置（５０）は、所定の場所で発生した所定のイベントの内容を示すイベント情報を受信する受信部（５０７、５１）と、ユーザにイベント情報を通知する通知部（５０１、５０２、５６）と、所定の人物を登録した登録情報にしたがいイベント情報の通知を制御する制御部（５０５、５４等）とを備える。
【０１２３】
制御部５０５（場所判定部５４）は、受信部（５０７）がイベント情報を受信した場合、イベントが発生した場所に、登録情報に登録された人物が居たか否かを判定する。さらに、制御部（５０５、５５）は、判定結果に基づいて、イベントの発生をユーザに通知する必要があるか否かを判定する。さらに、制御部（５０５）は、通知が必要であると判定したときに、通知部（５０１、５０２）を介してイベントの発生をユーザに通知する。
【０１２４】
上記（８）の構成によれば、ユーザにとって、紛らわしい不要なイベント情報の通知を防止することが出来るイベント情報通知システムを提供出来る。
【０１２５】
（９）本開示の別のイベント情報通知システム（１００Ｄ）は以下の構成を有する。イベント情報通知システム（１００Ｄ）は、所定の場所で発生したイベントを検出し、検出したイベントの内容を示すイベント情報を送信するイベント情報送信装置（１０）と、ネットワーク（２００）を介して、イベント情報送信装置（１０）からイベント情報を受信してユーザ端末（４００）に送信するイベント情報配信サーバ（３２０）と、を含む。
【０１２６】
イベント情報配信サーバ（３２０）は、所定の場所で発生した所定のイベントの内容を示すイベント情報を受信する受信部（３０７）と、イベント情報を送信する送信部（３０７）と、所定の人物を登録した登録情報にしたがいイベント情報の送信を制御する制御部（３０５）と、を備える。制御部（３０５）は、受信部（３０７）がイベント情報を受信した場合、イベントが発生した場所に、ユーザ登録情報に登録された人物が居たか否かを判定する。制御部（３０５）は、判定結果に基づいて、イベントの発生を示す情報をユーザ端末に送信する必要があるか否かを判定する。送信が必要であると判定したときに、制御部（３０５）は、送信部（３０７）を介してイベントの発生を示す情報をユーザ端末（４００）に送信する。
【０１２７】
上記（９）の構成によれば、ユーザにとって、紛らわしい不要なイベント情報の通知を防止することが出来るイベント情報通知システムを提供出来る。
【０１２８】
（１０）本開示のイベント情報通知方法は、所定の場所で発生した所定のイベントの内容を通知するイベント情報通知システム１００、１００ｂ、…におけるイベント情報の通知方法である。イベント情報通知方法は以下のステップを有する。イベント情報を受信手段を介して受信する。イベント情報を受信した場合、制御手段により、所定の人物を登録した登録情報に登録された人物が、イベントが発生した場所に居たか否かを判定する。制御手段により、判定結果に基づいて、イベントの発生をユーザに通知する必要があるか否かを判定する。制御手段により、通知が必要と判定したときに、通知手段を介してイベントの発生をユーザに通知する。
【０１２９】
上記（１０）の構成によれば、イベントが発生した場所に、登録された人が居たか否かを判定し、イベント情報をユーザに通知するか否かを判定する。これにより、ユーザにとって、紛らわしい不要なイベント情報の通知を防止することが出来るイベント情報通知方法を提供出来る。
【０１３０】
上述の実施の形態は、本開示における技術を例示するためのものであるから、特許請求の範囲またはその均等の範囲において種々の変更、置き換え、付加、省略などを行うことができる。
【符号の説明】
【０１３１】
１０、１０ｂ  イベント情報送信装置
１１  イベント検出部
１３  イベント情報送信部
５１  イベント情報受信部
５３  場所判定情報取得部
５４  場所判定部
５５  通知要否判定部
５６  イベント情報通知部
５０  イベント情報通知装置
１００、１００Ｂ、１００Ｃ、１００Ｄ、１００Ｅ  イベント情報通知システム
１０１  撮像部
１０５、５０５  制御部
１０７、５０７  通信部
２００  ネットワーク
３１０  場所情報配信サーバ
３２０  イベント情報配信サーバ
５０１  表示部
５０２  音声出力部
５０６  データ記憶部
【図１】
2015153018.tif 000003
【図２】
2015153018.tif 000004
【図３】
2015153018.tif 000005
【図４】
2015153018.tif 000006
【図５】
2015153018.tif 000007
【図６】
2015153018.tif 000008
【図７】
2015153018.tif 000009
【図８】
2015153018.tif 000010
【図９】
2015153018.tif 000011
【図１０】
2015153018.tif 000012
【図１１】
2015153018.tif 000013
【図１２】
2015153018.tif 000014
【図１３】
2015153018.tif 000015
【図１４】
2015153018.tif 000016
【図１５】
2015153018.tif 000017
【図１６】
2015153018.tif 000018
【図１７】
2015153018.tif 000019
【図１８】
2015153018.tif 000020